(57)【要約】【課題】見栄えを向上させる金属性の蓋部材を利用して、蓋部材の外周端部近傍に、密閉された断熱機能を有する閉鎖空間を形成することにより、見栄え並びに断熱効果を向上させる電気炊飯器を提供することを目的とする。【解決手段】容器本体と、該容器本体に対し開閉自在な蓋部材と、内鍋と、該内鍋を加熱する加熱手段を有する電気炊飯器において、前記蓋部材は、樹脂蓋部材と該樹脂蓋部材の全面を覆う金属蓋部材を有し、前記樹脂蓋部材の外周端部及び前記金属蓋部材の外周端部には、相互に係合可能な係止手段を有し、前記樹脂蓋部材と前記金属蓋部材の係合時には、前記樹脂蓋部材と前記金属蓋部材との外周端部近傍の領域は非平行状態とされ、その領域に閉鎖空間を有し、前記領域は、前記蓋部材のヒンジ部以外の全周に及ぶ電気炊飯器。【選択図】図８
2008259717.tif 000002
【特許請求の範囲】
【請求項１】
容器本体と、該容器本体に対し開閉自在な蓋部材と、内鍋と、該内鍋を加熱する加熱手段を有する電気炊飯器において、
前記蓋部材は、樹脂蓋部材と該樹脂蓋部材の全面を覆う金属蓋部材を有し、
前記樹脂蓋部材の外周端部及び前記金属蓋部材の外周端部には、相互に係合可能な係止手段を有し、
前記樹脂蓋部材と前記金属蓋部材の係合時には、前記樹脂蓋部材と前記金属蓋部材との外周端部近傍の領域は非平行状態とされ、その領域に閉鎖空間を有し、前記領域は、前記蓋部材のヒンジ部以外の全周に及ぶことを特徴とする電気炊飯器。
【請求項２】
前記係止手段は、前記樹脂蓋部材の外周端部ではコ字状係止溝であり、前記金属蓋部材の外周端部ではＵ字状係合突起であることを特徴とする請求項１に記載の電気炊飯器。
【請求項３】
前記コ字状係止溝と前記Ｕ字状係合突起との係合は、面接触であることを特徴とする請求項２に記載の電気炊飯器。
【請求項４】
前記閉鎖空間には、断熱材を設けることを特徴とする請求項１ないし３のいずれか一に記載の電気炊飯器。
【発明の詳細な説明】
【技術分野】
【０００１】
本願発明は、炊飯器の蓋部材取付構造に関するものである。
【背景技術】
【０００２】
電気炊飯器は、多くの便利な機能が付加されている。例えば、加熱手段としてワークコイル等からなる誘導加熱方式もその一つであり、効率的な炊飯制御並びにその後の長時間に亘る的確な保温制御を行うことができる等、非常に使い勝手の良い製品の一つとなっている。
【０００３】
電気炊飯器は、容器本体と、該容器本体に対し開閉自在な蓋部材とにより構成され、容器本体は、外壁を形成する外ケースと、内壁を形成する保護枠である内ケースと、外ケースに係止される外底壁を形成する底部材とを有し、内ケース内には、飯米等の内容物を加熱調理する内鍋が収納配置される。そして、誘導式電気炊飯器では、底コイル及びコーナーコイルからなるワークコイルが設けられ、このワークコイルにより内鍋外表面近傍に渦電流に起因したジュール熱を発生させ、該ジュール熱により内容物を加熱調理する。
【０００４】
ところで、近時、見栄えも電気製品の選択要素の一つに位置付けられるようになり、電気炊飯器についてもそのための工夫が施されている。そして、その一例として樹脂製の蓋部材の上面を金属製の蓋部材で覆い、見栄えを向上させた製品もすでにある。その取り付けは樹脂製の蓋部材の上面に金属製の蓋部材を被せ、それぞれの外周端部に有する係止手段を無理嵌めにより一体化するものである。その係止手段の取り付けの一形態を図１０に示す。
【０００５】
概略について説明する。図１０（Ａ）に各部材の分解図を、図１０（Ｂ）に各部材の組立図を示す。蓋部材１は、上カバー２、下カバー３及び断熱構造体４からなる。上カバー２の外周端部には、内方に突出する係合突起２ａを設け、断熱構造体４の外周端部上方には、内方に凹んだ係止溝４ａと、外周端部下方に突出した嵌合突起４ｂを設け、更に下カバー３の外周端部近傍の上面には、下方に凹んだ嵌合溝３ａを設ける。
【０００６】
そして、下カバー３の下方に凹んだ嵌合溝３ａ内に、断熱構造体４の下方に突出した嵌合突起４ｂを嵌合することにより下カバー３に断熱構造体４を取り付ける。その後、断熱構造体４の内方に凹んだ係止溝４ａ内に、上カバー２の内方に突出する係合突起２ａを係合することにより断熱構造体４に上カバー２を取り付ける。その後、上カバー２に調圧栓５を取り付けることにより蓋部材１を形成する。なお、上カバー２を金属製のカバーにすることにより見栄えを向上することができる（例えば、特許文献１参照）。
【０００７】
ところで、上記のものは、上カバー２の取り付けは容易であり、更に上カバー２の下方に断熱構造体４を取り付けているため、図１０（Ｂ）で黒塗りの矢印イで示すように、上方への熱の逃げを低減することができる反面、蓋部材１の側部方向、即ち、図１０（Ｂ）で白塗りの矢印ロで示すような下カバー３の外周端部近傍からの熱の逃げを防止することができないという問題を有していた。  
【特許文献１】特許第３３９５７４３号公報
【発明の開示】
【発明が解決しようとする課題】
【０００８】
本願発明は、見栄えを向上させる金属性の蓋部材を利用して、蓋部材の外周端部近傍に、密閉状の断熱機能を有する閉鎖空間を形成することにより、見栄え並びに断熱効果を向上させる電気炊飯器を提供することを目的とする。
【課題を解決するための手段】
【０００９】
上記目的を達成するため、本願発明は以下の構成を採用する。
【００１０】
請求項１に係る発明では、容器本体と、該容器本体に対し開閉自在な蓋部材と、内鍋と、該内鍋を加熱する加熱手段を有する電気炊飯器において、前記蓋部材は、樹脂蓋部材と該樹脂蓋部材の全面を覆う金属蓋部材を有し、前記樹脂蓋部材の外周端部及び前記金属蓋部材の外周端部には、相互に係合可能な係止手段を有し、前記樹脂蓋部材と前記金属蓋部材の係合時には、前記樹脂蓋部材と前記金属蓋部材との外周端部近傍の領域は非平行状態とされ、その領域に閉鎖空間を有し、前記領域は、前記蓋部材のヒンジ部以外の全周に及ぶ構成。
【００１１】
そしてこのような構成により、樹脂蓋部材に対する金属蓋部材の取り付けは容易になるとともに、見栄えが向上する。更に樹脂蓋部材に金属蓋部材を取り付けた後では、蓋部材の側面部に相当する外周端部近傍に、密閉状の断熱機能を有する閉鎖空間が形成されるため、蓋部材の断熱機能が向上する。
【００１２】
請求項２に係る発明では、前記係止手段は、前記樹脂蓋部材の外周端部ではコ字状係止溝であり、前記金属蓋部材の外周端部ではＵ字状係合突起である構成。そして、Ｕ字状係合突起は、外方に位置する円弧形状の曲率半径が、従来の円形状のものに比べて小さいため、蓋部材と肩部材との間に水平方向に形成されることになる凹みが小さくなり、その分、見栄えが向上する。
【００１３】
請求項３に係る発明では、前記コ字状係止溝と前記Ｕ字状係合突起との係合は、面接触である構成。そしてこのような構成により、コ字状係止溝とＵ字状係合突起との接触面積が大きくなり、内部空間の密閉度が向上する。
【００１４】
請求項４に係る発明では、前記閉鎖空間には、断熱材を設ける構成。そしてこのような構成により、内部空間の断熱機能がより向上する。
【発明の効果】
【００１５】
請求項１に係る発明では、樹脂蓋部材と金属蓋部材との係合時に、樹脂蓋部材と金属蓋部材との外周端部近傍の領域に、蓋部材のヒンジ部を除いた全周に閉鎖空間を形成することにより、樹脂蓋部材に対する金属蓋部材の取り付けを容易にすることができるとともに、電気炊飯器の見栄えを向上することができる。更に、蓋部材の側面部方向からの熱の逃げを低減することができる。
【００１６】
請求項２に係る発明では、係止手段を、樹脂蓋部材の外周端部ではコ字状係止溝とし、金属蓋部材の外周端部ではＵ字状係合突起にすることにより、請求項１の効果に加え、蓋部材と肩部材との間に水平方向に形成されることになる凹み部分を小さくすることができるため、その分、見栄えを向上することができる。
【００１７】
請求項３に係る発明では、コ字状係止溝とＵ字状係合突起との係合は、面接触であることにより、請求項２の効果に加え、コ字状係止溝とＵ字状係合突起との接触面積を大きくすることができるため、内部空間の密閉度を高め、断熱効果をより向上することができる。
【００１８】
請求項４に係る発明では、閉鎖空間に断熱材を設けることにより、請求項１ないし３のいずれかの効果に加え、内部空間の断熱機能をより高め、断熱効果をより向上することができる。
【実施例】
【００１９】
図１は、電気炊飯器に本願発明を適用した断面図を示し、図２、３は、樹脂蓋部材の平面及び断面図を示し、図４〜６は、金属蓋部材の平面、断面及び背面図を示し、図７〜９は、それぞれ例の異なる蓋部材の外周端部近傍の領域を示す拡大断面図を示す。なお、以下においては、電気炊飯器の表示装置側を前方或いは前方側とし、表示装置と反対方向のヒンジ側を後方或いは後方側とし、前後方向に直交する側を左右方向とする。
【００２０】
電気炊飯器ａは、図１に示すように大別して、内部に土鍋３５を収納可能な容器本体２０と、該容器本体２０の上部開口を開閉自在な蓋部材６０とからなる。
【００２１】
前記容器本体２０は、外壁を形成する外ケース２１、該外ケース２１内にあり内壁を形成する保護枠でもある内ケース２２、それら内外ケース２１、２２の上端部を形成する肩部材２３、及び電気炊飯器ａの底部を形成する底部材２４からなる。前記外ケース２１は、ステンレス等の金属製で上下開口の略円筒状部材であり、電気炊飯器ａの胴部を形成する。前記肩部材２３は、樹脂製、例えばポリプロピレン（ＰＰ）等からなり、容器本体２０の上部の肩部を形成する部材であり、その後方側にはヒンジ機構２５が設けられる。
【００２２】
容器本体２０の内部を形成する前記内ケース２２は、上方が開口される容器状の樹脂製部材であり、その上端部には外方に張り出したフランジ２６が形成され、フランジ２６には肩ヒータ２７が設けられる。また、その底部中央にはセンターセンサ４１が貫通するための中央開口２８が設けられる。
【００２３】
内ケース２２の外周上には、リング状の保温ヒータ２９が複数本アルミシートで張り付けられる。この保温ヒータ２９は、内ケース２２の外周側面に上下方向にわたり複数本、例えば４本設けられる。この例の場合、最下部のヒータ２９は土鍋３５の側面部から底面部にかけての湾曲部３５ｃに対向する位置に設けられ、最上部のヒータ２９は内ケース２２のフランジ２６の下端部或いはその近傍に設けられるとともに、残りのヒータ２９は最上下部間に略均等に配置される。その結果、内部に収納される土鍋３５を側部全面より効率的に加熱並びに保温することができるようになる。また、保温ヒータ２９の外周には、該保温ヒータ２９を覆って断熱材３０が巻かれており、内ケース２２の側面からの熱の逃げを防止している。
【００２４】
内ケース２２の底部には、ドーナツ状のセラミック製プレート３１が配置される。このセラミック製プレート３１は断熱部材であり、土鍋３５からの熱を反射し熱が下方へ伝わるの防止する。更に内ケース２２の底部のセラミック製プレート３１の外側には、略方形の凹部３２が略等間隔に複数個、例えば３個設けられるとともに、該凹部３２にはそれぞれ略方形のシリコン部材３３が、その上端を凹部３２から若干飛び出る形態で圧入される。このシリコン部材３３は、土鍋３５が内ケース２２に収納された際、土鍋３５の底部下面に設けられる脚に相当する環状突起３６が該シリコン部材３３上に載り、土鍋３５のがたつき並びに回転を防止する。
【００２５】
内ケース２２の内部には、内鍋が収納される。内鍋は金属製のものでもよいが以下においては土鍋３５を用いて説明する。土鍋３５は、焼成セラミックスやガラスなどからなる陶磁器製のもので、略垂直な側面部３５ａと、略水平な底面部３５ｂと、側面部３５ａと底面部３５ｂとの間の薄肉で且つ円弧状の湾曲部３５ｃとを有する上方開口の容器部材である。
【００２６】
そして、底面部３５ｂには、下方に突出した環状突起３６が形成されており、土鍋３５が内ケース２２に収納された際、該環状突起３６は、内ケース２２の底部に設けられる３個のシリコン部材３３上に載置される。また、環状突起３６内の底面部３５ｂには、発熱体３７が設けられる。発熱体３７は、例えば数十ミクロンの銀の粒状物と樹脂との混合物からなる銀ペーストをスクリーン印刷により必要箇所に塗布し、その後焼成してなるものである。該発熱体３７は、加熱手段である平面コイル３８に対向配置され、平面コイル３８により誘起される渦電流に起因したジュール熱により発熱され、その発熱により土鍋３５が加熱される。なお、発熱体３７は、銅箔やステンレス製の網（ラス）などのような金属製のものを予め土鍋３５の内部に一体的に埋め込んだものでも良い。
【００２７】
前記内ケース２２の下面底部には、銅線を必要回数同心状に巻回したドーナツ状の平面コイル３８が配置され、コイル台４０により支持される。
【００２８】
コイル台４０は、略円盤状でその全体は略水平な樹脂部材であり、その中央にはセンターセンサ４１が取り付けられ、その上面で平面コイル３８を支持し、その下面に図示しないフェライトコアを取り付ける。そしてその下方からコア押さえ４２が取り付けられる。その取り付けは、コア押さえ４２及びコイル台４０に形成されるビス穴を介してビス４３を挿入し、該ビス４３を内ケースに形成されるねじ穴に螺合することにより行われる。
【００２９】
底部材２４は、電気炊飯器ａの底部を形成する平面視略矩形状で断面皿状の樹脂製部材である。その前方側（図の左側）に複数個の排気口４４が設けられ、その後方側（図の右側）に複数個の吸気口４５が設けられる。底部材２４は、コイル台４０に形成される複数個の締結用ボス４６のねじ穴にビス４７を螺合することにより取り付けられる。
【００３０】
外ケース２１と内ケース２２の間の内部空間４８には電気炊飯器に必要な部品が配置される。前方側の外ケース２１には、表示装置５０が配置され、その表示装置５０直後の内部空間４８には、各種スイッチ及び表示パネル等が配置される操作基板５１が設けられる。
【００３１】
容器本体２０の後方側、即ちヒンジ機構２５下方の内部空間４８には、制御基板５２が配置される。この制御基板５２には、誘導加熱に必要なパワートランジスタ(ＩＧＢＴ)等の各種電子回路素子が取り付けられる。これら各種電子回路素子には、例えば前記ＩＧＢＴ等のように発熱する素子を有するため、制御基板５２の下方には、これら発熱素子の放熱を低減するためのヒートシンクとしてのフィン５３及び該フィン５３を冷却するための冷却ファン５４を設けるとともに、該冷却ファン５４の下方に空間を設けて底部材２４の吸気口４５を対向配置している。このように冷却ファン５４と吸気口４５との間に空間を設けることにより、吸気が容易になる。吸気口４５より導入される冷却風は、フィン５３及び平面コイル３８等を冷却し、前方側の排気口４４より排出される。なお、底部材２４の後方側の隅部には図示しないマグネットプラグ受けが配置される。
【００３２】
前記蓋部材６０は、ポリプロピレン（ＰＰ）等からなる樹脂製の樹脂蓋部材６０ａと、該樹脂蓋部材６０ａの上面に無理嵌めされる金属製の金属蓋部材９０からなる。
【００３３】
樹脂蓋部材６０ａは、上蓋６１、下蓋７５、放熱板７８及び内カバー８０を有する。上蓋６１の平面図を図２に、断面図を図３に示す。上蓋６１は、平面視略矩形状で、断面略キャップ状の蓋部材６０の上面を形成する部分であり、上面部６２、湾曲部６３及び側面部６４を有する。
【００３４】
上面部６２は、平面視略矩形状で、断面なだらかな円弧状の領域であり、その中央には調圧栓８２用の円形の中央貫通孔６５が設けられ、その前方側には略矩形状のロック部材用開口６６が設けられる。湾曲部６３は、上面部６２の外周近傍に上面部６２に連続して形成される上面部６２より曲率半径の小さい領域であり、後方側のヒンジ用開口６７にかけて略馬蹄形に設けられる。
【００３５】
側面部６４は、湾曲部６３の下方に湾曲部６３に連続して形成される傾斜或いは略垂直状の領域であり、その後方側は略矩形状に切り欠かれたヒンジ用開口６７が形成されており、その全体は略馬蹄形を呈する。この側面部６４の外周には、金属蓋部材９０とで後記閉鎖空間９５が形成される。また、側面部６４の外周下端には、ヒンジ用開口６７を除いて外方に突き出たフランジ６８が形成され、更に該フランジ６８の若干上方には、外方に突き出た係止片６９が複数個設けられている。そしてフランジ６８と係止片６９との間でコ字状の嵌合溝７０が形成され、この嵌合溝７０には、金属蓋部材９０の外周下端に設けられる係合突起９４が係合される。この嵌合溝７０と係合突起９４とで係止手段を形成する。また、前記上面部６２の底面及び側面部６４の内面には、下蓋７５を係止するための複数個の係止爪７１が形成される。
【００３６】
上蓋６１の下面には、下蓋７５が取り付けられる。その取り付けは、下蓋７５に設けられる複数の係合片７５ａを上蓋６１の内面に設けられる複数の係止爪７１に無理嵌めすることにより行われる。上蓋６１と下蓋７５との間には上部空間７６が形成され、この上部空間７６には、断熱材７７が配設され、上方への熱の逃げを低減する。また、下蓋７５の中央部には、ドーナツ状の金属製放熱板７８が設けられるとともに、この放熱板７８の上面には、蓋ヒータ７９が配置され、該放熱板７８を蓋ヒータ７９により加熱し、土鍋３５内の内容物を上方から加熱する。放熱板７８の下方には、更に内カバー８０が設けられる。この内カバー８０の外周端には環状パッキン８１が設けられ、蓋部材６０の閉蓋時、土鍋３５内を密閉する。
【００３７】
蓋部材６０の中央部には、調圧栓８２が設けられる。調圧栓８２の内部には弁部材８３が設けられ、内部圧が所定以上になると、弁部材８３が開口し内部の蒸気を蒸気通路８４を介して蒸気口８５より外部に放出する。更に、蓋部材６０の後方側には、既に公知のバネ材を内在したヒンジ機構２５が設けられ、電気炊飯器ａの前方側上部に設けられるロック部材８６の施錠ないし開錠作用により蓋部材６０を容器本体２０に対して開閉する。
【００３８】
金属蓋部材９０の平面図を図４に、断面図を図５に、背面図を図６に示す。金属蓋部材９０は、平面視略矩形状で、断面略キャップ状の上記上蓋６１とほぼ同様な形状を有する金属性の部材であり、見栄え及び強度向上のために用いられ、上面部９０ａ及び湾曲側面部９０ｂを有する。
【００３９】
上面部９０ａは、平面視略矩形状で、断面なだらかな円弧状の領域であり、その中央には調圧栓８２用の円形の中央開口９１が設けられるとともに、中央開口９１の端部には、下方に略直角に折り曲げられた第１折曲片９１ａが垂下され、更にその第１折曲片９１ａには折り曲げることにより金属蓋部材９０を樹脂蓋部材６０ａに係合するための第１折曲爪９１ｂが垂下する形態で形成される。また、上面部９０ａの前方側には略矩形状のロック部材８６用の開口９２が設けられるとともに、開口９２の端部には、下方に略直角に折り曲げられた第２折曲片９２ａが垂下され、更にその第２折曲片９２ａには折り曲げることにより金属蓋部材９０を樹脂蓋部材６０ａに係合するための第２折曲爪９２ｂが垂下する形態で形成される。
【００４０】
湾曲側面部９０ｂは、上面部９０ａの外周近傍に上面部９０ａに連続して形成される上面部９０ａより曲率半径の小さい領域であり、後方側のヒンジ用開口９３にかけて略馬蹄形に設けられるとともに、下端部まで連続した円弧状を呈している。また、湾曲側面部９０ｂの後方側のヒンジ用開口９３には、略直角に折り曲げられた第３折曲片９３ａが垂下され、更にその第３折曲片９３ａには折り曲げることにより金属蓋部材９０を樹脂蓋部材６０ａに係合するための第３折曲爪９３ｂが垂下する形態で形成される。
【００４１】
湾曲側面部９０ｂの下端部には、カール状の係合突起９４が形成されており、金属蓋部材９０を樹脂蓋部材６０ａの上蓋６１に組み付ける際、この係合突起９４は、上蓋６１の外周端部に形成される複数個の嵌合溝７０に無理嵌めされる。
【００４２】
金属蓋部材９０と上蓋６１との組み付けについて説明する。上蓋６１の上に金属蓋部材９０を置く。金属蓋部材９０のカール状の係合突起９４は内側にカールされているため、金属蓋部材９０は上蓋６１の湾曲部６３近傍に載った状態になる。構わず金属蓋部材９０を押し込むと係合突起９４が外側に押し広げられた状態で金属蓋部材９０が上蓋６１に押し込まれ、最後には金属蓋部材９０の係合突起９４が、上蓋６１の外周端部に形成される複数個の嵌合溝７０に嵌合し無理嵌めされる。その後、金属蓋部材９０の第１折曲爪９１ｂ、第２折曲爪９２ｂ及び第３折曲爪９３ｂを内側に折り込むことにより金属蓋部材９０を上蓋６１に一体的に取り付ける。
【００４３】
金属蓋部材９０と上蓋６１とはほぼ同様な形状をしているため、取り付け後では、金属蓋部材９０の上面部９０ａと上蓋６１の上面部６２とはほぼ平行状態になる。ところが、金属蓋部材９０の湾曲側面部９０ｂは円弧状であるに対し、上蓋６１の側面部６４は、傾斜或いは垂直の直線状であるため、非平行状態になり、金属蓋部材９０の湾曲側面部９０ｂと上蓋６１の側面部６４との間に閉鎖空間９５を形成する。この閉鎖空間９５は、後方側のヒンジ用開口９３にわたって水平に略馬蹄形状に形成される。
【００４４】
係止手段である係合突起９４及び嵌合溝７０はお互い係合した状態になるため、閉鎖空間９５は密閉した状態になり、断熱空間としての機能を有する。そして、この閉鎖空間９５が形成される領域は、図１で示すように土鍋３５の上端側面部であり、容器本体２０の断熱材３０及び蓋部材６０の断熱材７７がない領域であり、この領域に断熱空間を設ける効果は大である。そして、この断熱空間は、主として見栄えの機能を高めるための金属蓋部材９０を有効利用するものであり、生産コストを高騰させることなく且つ容易に形成することができる。
【００４５】
閉鎖空間９５領域の拡大図を図７に示す。この閉鎖空間９５は、単なる空間のみであってもよいが、図７に示すように、閉鎖空間９５に断熱材９６を設けることにより断熱効果をより高めることができる。その取り付けは、上蓋６１の側面部６４に断熱材９６を略馬蹄形状領域にわたって貼り付けることにより容易に行うことができる。また、閉鎖空間９５の密閉性を高めるために、図７に示すように、閉鎖空間９５の直上部の金属蓋部材９０の上面部９０ａと上蓋６１の上面部６２との平行状態の領域に略馬蹄形状領域にわたって両面テープ或いは接着材９７を貼り付けることにより断熱効果を更に高めることができる。更にまた、閉鎖空間９５内に発泡ウレタンのような断熱物質を充填することもできる。このような断熱物質を充填することにより、断熱効果をより高めることができるとともに、金属蓋部材９０部分を補強し、この部分のペコつきを防止することができる。
【００４６】
ところで、カール状の係合突起９４はその形状が円であるため、上蓋６１の嵌合溝７０との当接部分が線接触になるため閉鎖空間９５の密閉度が低くなり、断熱効果が悪くなる傾向にある。また、係合突起９４が円形状であるとその係合箇所を外側から見ると、係合突起９４の下面とフランジ６８の上面との間に水平方向に凹みを有することになり、見栄えを損なうことになる。
【００４７】
このような弊害をなくす例を図８に示す。この例のものは、係合突起９４の形状をＵ字状にするものである。即ち、Ｕ字状の係合突起９４は、その底部を略平面上にすることができるため、図８に示すようにＵ字状の底部とフランジ６８の上面との接触を面接触にし、且つ長さＤを必要なだけ取ることができるため閉鎖空間９５の密閉度を高めることができる。また、この長さＤを長くする、即ち、フランジ６８の水平方向の長さ及びＵ字状の底部の長さを長くする（実際には、上蓋６１の側面部６４の位置を内側に移動することになる。）ことにより、密閉度の向上とともに閉鎖空間９５の容積をより大きくすることができ、更に、Ｕ字状の係合突起９４は底部の円弧の曲率半径が小さいため外側から見た見栄えを良好にすることができる。
【００４８】
また、係合突起９４をＵ字状にすることにより、上蓋６１のフランジ６８をなくすることができる。図９にその例を示す。この例のものでは、Ｕ字状の係合突起９４の内側面９４ａを上蓋６１の側面部６４に面接触させることになる。この例のものでは上蓋６１のフランジ６８をなくする分、閉鎖空間９５を広くすることができるため断熱効果をより高めることができる。また、金属蓋部材９０で樹脂蓋部材６０ａをほぼ完全に覆うことができるため、見栄えがより向上する。
【００４９】
本願発明は、上記実施例の構成に限定されるものではなく、発明の要旨を逸脱しない範囲において適宜設計変更可能である。
【図面の簡単な説明】
【００５０】
【図１】本願発明の電気炊飯器の全体断面図
【図２】本願発明の樹脂蓋部材の平面図
【図３】図２のＡ−Ａ線の断面図
【図４】本願発明の金属蓋部材の平面図
【図５】図４のＢ−Ｂ線の断面図
【図６】図４のＣ矢視方向から見た図
【図７】本願発明の蓋部材の外周端部近傍の領域を示す拡大断面図
【図８】本願発明の他の蓋部材の外周端部近傍の領域を示す拡大断面図
【図９】本願発明の更に他の蓋部材の外周端部近傍の領域を示す拡大断面図
【図１０】従来の蓋部材の取り付け状態を示す分解断面図及び組立断面図
【符号の説明】
【００５１】
ａ…電気炊飯器              ２０…容器本体
２１…外ケース              ２２…内ケース
２３…肩部材                ２４…底部材
２５…ヒンジ機構            ２７…肩ヒータ
２８…中央開口              ２９…保温ヒータ
３０…断熱材                ３１…セラミック製プレート
３２…凹部                  ３３…シリコン部材
３５…土鍋                  ３６…環状突起
３７…発熱体                ３８…平面コイル
４０…コイル台              ４１…センターセンサ
４２…コア押さえ            ４４…排気口
４５…吸気口                ４６…締結用ボス
４８…内部空間              ５０…表示装置
５１…操作基板              ５２…制御基板
５３…フィン                ５４…冷却ファン
６０…蓋部材                ６０ａ…樹脂蓋部材
６１…上蓋                  ６２…上面部
６３…湾曲部                ６４…側面部
６５…中央貫通孔            ６６…ロック部材用開口
６７…ヒンジ用開口          ６８…フランジ
６９…係止片                ７０…嵌合溝
７１…係止爪                ７５…下蓋
７６…上部空間              ７７…断熱材
７８…放熱板                ７９…蓋ヒータ
８０…内カバー              ８１…環状パッキン
８２…調圧栓                ８３…弁部材
８４…蒸気通路              ８５…蒸気口
８６…ロック部材            ９０…金属蓋部材
９０ａ…上面部              ９０ｂ…湾曲側面部
９１…中央開口              ９１ａ…第１折曲片
９１ｂ…第１折曲爪          ９２…開口
９２ａ…第２折曲片          ９２ｂ…第２折曲爪
９３…ヒンジ用開口          ９３ａ…第３折曲片
９３ｂ…第３折曲爪          ９４…係合突起
９５…閉鎖空間              ９６…断熱材
９７…両面テープ、接着材
【図１】
2008259717.tif 000003
【図２】
2008259717.tif 000004
【図３】
2008259717.tif 000005
【図４】
2008259717.tif 000006
【図５】
2008259717.tif 000007
【図６】
2008259717.tif 000008
【図７】
2008259717.tif 000009
【図８】
2008259717.tif 000010
【図９】
2008259717.tif 000011
【図１０】
2008259717.tif 000012